(57)【特許請求の範囲】
【請求項１】
扉体に着脱自在に装着可能な取付部と、該取付部に設けられた物品を保持する保持部と、を備えた物品保持具であって、前記取付部は、前記扉体の上端部の厚み方向一側面側を押圧可能なベース体と、該上端部の厚み方向他側面側を押圧可能な、前記ベース体内に配置された上下方向を向く介在片と、該介在片の上端部から背面側に向けて延設された中間片と、該中間片の後端部から下方に向けて延設された垂直片と、から構成されたアーム体とで構成され、
前記ベース体とアーム体は、弾性部材の弾性力により両体が扉体の厚み方向に近接し、弾性部材の弾性力に抗して両体が被取付体の厚み方向に離間するように摺動自在であり、
前記保持部は、上端側がバネ力により取付部上方部側に向かって押圧するように取付部下方部側で枢着され、かつ前記取付部一側面を覆うカバー体で構成され、該カバー体と前記ベース体の上端部の正面側先端部間に物品を保持することを特徴とする物品保持具。
【請求項２】
前記取付部には、前記弾性部材の弾性力に抗して力を付与する操作体を備えていることを特徴とする請求項１記載の物品保持具。
【請求項３】
前記弾性部材は、前記ベース体とアーム体との間に配した側面略く字状の板ばねで構成され、前記操作体は前記板ばねのくの字の膨出した略中間部分を押圧するように前記ベース体に取付られていることを特徴とする請求項２に記載の物品保持具。
【請求項４】
前記ベース体またはアーム体の少なくとも一方の被取付体の端部を押圧する押圧部は、互いに離れた少なくとも３箇所以上の面一となる押圧面で構成されていることを特徴とする請求項１ないし３のいずれかに記載の物品保持具。
【発明の詳細な説明】
【技術分野】
【０００１】
本発明は、被取付体に着脱自在に装着可能な取付部と、取付部に設けられた物品を保持する保持部と、を備えた物品保持具に関する。
【背景技術】
【０００２】
従来、物品保持具としては、上下方向を向く本体背板（ベース体）の前面側（正面側）には、物品を吊り下げるための吊下げフック機構（保持部）に形成されており、本体背板の後背部（背面側）には、本体背板の上端部から背面側に向けて延設された天端と、天端の後端部から下方に向けて延設された屈曲鉤片と、から構成される鉤状屈曲部（取付部）が形成されている。更に、屈曲鉤片と対向する対向面である本体背板の背面には板バネ機構（板ばね）が設けられており、鉤状屈曲部を扉体（被取付体）の上端部に掛架するときに板バネ機構に扉体の上端部を屈曲鉤片に向けて押圧付勢させることで、物品保持具が扉体上端部を十分に把持する挟圧力を得ている（例えば、特許文献１参照）。
【先行技術文献】
【特許文献】
【０００３】
【特許文献１】特開２００８−１７８４２９号公報（第３頁、第１図）
【発明の概要】
【発明が解決しようとする課題】
【０００４】
しかしながら、特許文献１にあっては、本体背板（ベース体）に屈曲鉤片が延設されているため、板ばね機構（板ばね）と鉤状屈曲部（取付部）との間にて挟持することが可能な扉体（被取付体）の厚みが限定されるという問題がある。
【０００５】
本発明は、このような問題点に着目してなされたもので、厚みの異なる各種の被取付体に対して容易に装着が可能な物品保持具を提供することを目的とする。
【課題を解決するための手段】
【０００６】
前記課題を解決するために、本発明の物品保持具は、
扉体に着脱自在に装着可能な取付部と、該取付部に設けられた物品を保持する保持部と、を備えた物品保持具であって、前記取付部は、前記扉体の上端部の厚み方向一側面側を押圧可能なベース体と、該上端部の厚み方向他側面側を押圧可能な、前記ベース体内に配置された上下方向を向く介在片と、該介在片の上端部から背面側に向けて延設された中間片と、該中間片の後端部から下方に向けて延設された垂直片と、から構成されたアーム体とで構成され、
前記ベース体とアーム体は、弾性部材の弾性力により両体が扉体の厚み方向に近接し、弾性部材の弾性力に抗して両体が被取付体の厚み方向に離間するように摺動自在であり、
前記保持部は、上端側がバネ力により取付部上方部側に向かって押圧するように取付部下方部側で枢着され、かつ前記取付部一側面を覆うカバー体で構成され、該カバー体と前記ベース体の上端部の正面側先端部間に物品を保持することを特徴としている。
この特徴によれば、ベース体とアーム体は被取付体の厚み方向に離間可能に摺動できるので、厚みの異なる各種の被取付体に対して取付部の装着が容易にできると共に、弾性部材によりベース体とアーム体とを被取付体の厚み方向に近接させて被取付体の端部の両側から押圧できるので、弾性部材の弾性力が取付部の被取付体に対する押圧力に有効に伝達できる。また物品の保持又は取り外しがカバー体の上部で行え開閉操作が容易であるばかりでなく、取付部を利用して物品を挟持することができるので、物品保持具の構成を簡素にできる。更に、カバー体で取付部を隠蔽できるので見栄えがよい。
【０００７】
本発明の物品保持具は、
前記取付部には、前記弾性部材の弾性力に抗して力を付与する操作体を備えていることを特徴としている。
この特徴によれば、ベース体とアーム体とを操作体により被取付体の厚み方向に離間させることができる。
【０００８】
本発明の物品保持具は、
前記弾性部材は、前記ベース体とアーム体との間に配した側面略く字状の板ばねで構成され、前記操作体は前記板ばねのくの字の膨出した略中間部分を押圧するように前記ベース体に取付られていることを特徴としている。
この特徴によれば、操作体が板ばねのくの字の膨出した略中間部分を押圧することにより、バランス良く弾性力に抗する力を付与させることができる。
【０００９】
本発明の物品保持具は、
前記ベース体またはアーム体の少なくとも一方の被取付体の端部を押圧する押圧部は、互いに離れた少なくとも３箇所以上の面一となる押圧面で構成されていることを特徴としている。
この特徴によれば、被取付体の端部側の被押圧面に対してベース体またはアーム体の少なくとも一方が分散した均等な押圧力で押圧することができる。
【図面の簡単な説明】
【００１１】
【図１】実施例におけるタオルクリップを示す斜視図である。
【図２】タオルクリップを示す背面図である。
【図３】（ａ）は、図２におけるタオルクリップのＡ−Ａ断面図であり、（ｂ）は、タオルクリップの扉体への取り付けを示す縦断側面図である。
【図４】カバーを正面側に揺動させた状態のタオルクリップを示す縦断側面図である。
【図５】タオルを保持した状態のタオルクリップを示す縦断側面図である。
【発明を実施するための形態】
【００１２】
本発明に係る物品保持具を実施するための形態を実施例に基づいて以下に説明する。
【実施例】
【００１３】
実施例に係るタオルクリップにつき、図１から図５を参照して説明する。以下、図２の紙面奥側をタオルクリップの正面側（前方側）とし、図３（ａ）〜図５の紙面左側をタオルクリップの正面側（前方側）とし、図２〜図５の紙面下側をタオルクリップの下方側として説明する。図１の符号１は、本発明における物品保持具としてのタオルクリップである。このタオルクリップ１は、例えば、図１及び図５に示すように、キッチンキャビネット等の本発明における被取付体としての扉体２の上端部に着脱自在に装着可能な取付部３と、取付部３の前部に設けられた保持部４と、から主に構成されており、この保持部４には、本発明における物品としてのタオル５が保持可能となっている。
【００１４】
取付部３は、図３（ａ）〜図５に示すように、内部が中空に形成され上方と正面側とに開口するベース体６と、ベース体６とともに扉体２の上端部を厚み方向（前後方向）から押圧するアーム体７と、を備えている。
【００１５】
このアーム体７は、ベース体６内に配置された上下方向を向く介在片７ａと、介在片７ａの上端部から背面側に向けて延設された中間片７ｂと、中間片７ｂの後端部から下方に向けて延設された垂直片７ｃと、から構成されている。このうち、介在片７ａの下端部は、背面側に向けて膨出する側面視円弧状の円弧部７ｄに形成されている。更に、垂直片７ｃの正面には、ゴム材等の軟質材により構成されたパッキン８が貼り付けられている。
【００１６】
一方、ベース体６は、上下方向を向く板状のベース本体６ａと、このベース本体６ａの左右端部から背面側に向けて延設して一対に形成された側板６ｂと、両側板６ｂ，６ｂの後上部と後下部とに亘って渡設された上部横桟６ｃ及び下部横桟６ｄと、を備えている。
【００１７】
図２に示すように、上部横桟６ｃと下部横桟６ｄとの背面の左右端部には、それぞれ垂直片７ｃの正面に貼り付けられたパッキン８と同一構成のパッキン９が貼り付けられており、これらパッキン８，９が本発明における押圧部を構成している。尚、これら４つのパッキン９の背面は、互いに面一となるように構成されている。
【００１８】
図３（ａ）〜図５に示すように、ベース体６内における介在片７ａと上部横桟６ｃ及び下部横桟６ｄとの間には、本発明における弾性部材としての側面視略くの字状の板ばね１０が配置されている。この板ばね１０の上下方向略中間部分は、円弧部７ｄの側面視形状と補形を成すように背面側に向けて膨出しており、板ばね１０の弾性力はベース体６とアーム体７とが互いに近接するように作用している。
【００１９】
尚、図２及び図３（ａ）に示すように、ベース体６の両側板６ｂの後部における上下方向略中央部には、板ばね１０の左右方向中央側に向けて規制片６ｅが突設されており、図３（ｂ）に示すように、円弧部７ｄから背面側に押圧される板ばね１０の上下方向略中間部分が当接するようになっている。このように板ばね１０が規制片６ｅに当接することで、板ばね１０を安定保持するとともに、ベース体６とアーム体７との離間の移動を規制している。
【００２０】
更に尚、板ばね１０に復元力が発生していない図３（ａ）で示した状態では、両パッキン８，９間の距離は、扉体２の前後幅寸法Ｒよりも短寸のＬ１に形成されている。また、板ばね１０の上下方向略中間部分が規制片６ｅに当接するまでアーム体７が背面側に摺動したときの両パッキン８，９間の距離は、扉体２の前後幅寸法Ｒよりも長寸のＬ２に形成されている（図３（ｂ）参照）。
【００２１】
図３（ａ）〜図５に示すように、ベース本体６ａ内における介在片７ａの正面側には、本発明における操作体としてのレバー１１が配置されている。このレバー１１は、上下方向略中央部に左右方向を向く図示しない枢軸を備えており、この枢軸をベース本体６ａに挿通させることによって正面側に向けて揺動可能に枢支されている。また、レバー１１の上端部は、ベース体６の上端部に配置されているとともに、レバー１１の上端部の後部には、使用者が指等を引掛けてレバー１１を正面側に向けて揺動可能とする把手１１ａが形成されている。
【００２２】
更に、レバー１１の下端部は、介在片７ａの下端部に形成された円弧部７ｄの正面と同一の曲率で背面側に向けて膨出する膨出部１１ｂに形成されており、この膨出部１１ｂは円弧部７ｄの正面に対して当接配置されている。
【００２３】
一方、保持部４は、ベース本体６ａの正面側に配置されたカバー体１２と、ベース本体６ａの正面側下端部に配置された、カバー体１２の上端側をベース体６に向けて押圧付勢するコイルばね１３と、によって構成されている。カバー体１２は、図１及び図２に示すように、正面側から取付部３を被覆するのに十分な左右及び上下幅寸法を有している。また、カバー体１２の背面上部には、背面側に向かって上下２条の爪部１２ａが形成されている。
【００２４】
更に、カバー体１２は、ベース体６の正面側下端部で左右方向を向く図示しない枢軸によってコイルばね１３の弾性力に抗して正面側に揺動可能に枢支されている。そして、カバー体１２は、コイルばね１３により上端部側をベース体６上方部側（取付部３の背面側）に向けて付勢されているので、図３（ａ）に示すように、タオル５等を保持していない場合は、上下の爪部１２ａ間が、ベース体６の上端部の正面側先端部に係合している。
【００２５】
次に、タオルクリップ１を扉体２の上端部への取り付けについて説明する。先ず、図３（ａ）及び図３（ｂ）に示すように、板ばね１０に復元力が発生していない状態から使用者がレバー１１の上端部である把手１１ａに指を掛け、レバー１１の上端部を正面側に向けて揺動させる。このとき、レバー１１の上端部の正面側への揺動によって、レバーの下端部である膨出部１１ｂは、円弧部７ｄの正面を摺動しながら円弧部７ｄを背面側に向けて押圧する。このため、アーム体７は円弧部７ｄで膨出部１１ｂから受ける背面側を向く力によって背面側に向けて摺動がなされる。
【００２６】
同時に、ベース体６は、レバー１１の枢軸を介して正面側に摺動し、両パッキン８，９間の前後幅寸法をＬ２にまで拡げることができる。このとき、板ばね１０には、正面側を向く復元力がはたらくため、膨出部１１ｂは、この復元力に抗しながら板ばね１０を押圧する。
【００２７】
そして、使用者は、レバー１１の正面側への揺動を維持することでパッキン８，９間の前後幅寸法を広く保ちながら、扉体２の上端部を垂直片７ｃとベース体６との間に配置する。この状態で使用者がレバー１１から指を外すことで、板ばね１０の復元力によってベース体６とアーム体７とは近接する方向に摺動し、アーム体７の垂直片７ｃのパッキン８とベース体６側のパッキン９とで扉体２の上端部を挟持することができる。このとき、上部横桟６ｃと下部横桟６ｄとに貼り付けられた４つのパッキン９は、面一となって扉体２の正面側に当接する。
【００２８】
従って、タオルクリップ１は、板ばね１０の復元力によって前後方向から互いに近接し合うパッキン８，９が、扉体２の上端部を扉体２の厚み方向である前後方向から押圧することによって、扉体２の上端部に装着される。
【００２９】
尚、本実施例では、垂直片７ｃに４つのパッキン８を貼り付けているが、垂直片７ｃの正面に大きなパッキン８に代えて複数の面一となるパッキンを貼り付けるようにしてもよい。
【００３０】
更に尚、タオルクリップ１を扉体２の上端部から取り外す際には、使用者が再びレバー１１を正面側に揺動させてアーム体７とベース体６とを離間させることで、容易に両パッキン８，９による扉体２の押圧を解除して扉体２からタオルクリップ１を取り外すことができる。
【００３１】
また、図４及び図５に示すように、扉体２の上端部への装着が完了したタオルクリップ１にタオル５を保持させるには、使用者がカバー体１２の上端部を指等で正面側に向けて揺動させ、カバー体１２とベース体６との間の空間にタオル５の一部を配置する。そして、使用者がカバー体１２の上端部から指を離すことで、カバー体１２はコイルばね１３の復元力によって背面側に向けて揺動される。このとき、タオル５の一部が両爪部１２ａ，１２ａとベース体６の上端部の正面側先端部間に挟み込まれ、タオルクリップ１によるタオル５の保持がなされる。
【００３２】
尚、タオル５はカバー体１２とベース本体６ａとの間に形成された空間部を介してカバー体１２の根元部で保持するようにしてもよい。
【００３３】
本実施例では、前述したように、ベース体６内の介在片７ａとベース体６の背板との間に板ばねを配置したが、例えば、ベース体６の上端部と垂直片７ｃの上端部とを、ベース体６とアーム体７とを近接する方向に付勢するコイルばねによって接続し、ベース体６とアーム体７とをコイルばねに抗して作用させて扉体２に装着するようにしてもよい。
【００３４】
以上、本実施例におけるタオルクリップ１では、取付部３は、扉体２の端部の厚み方向一側面側を押圧可能なベース体６と、端部の厚み方向他側面側を押圧可能なアーム体７とで構成され、ベース体６とアーム体７は、弾性部材の弾性力によりベース体６とアーム体７とが扉体２の厚み方向に近接し、弾性部材の弾性力に抗してベース体６とアーム体７とが扉体２の厚み方向に離間するように摺動自在であるので、ベース体６とアーム体７は扉体２の厚み方向に離間可能に摺動できるので、厚みの異なる各種の扉体２に対して取付部３の装着が容易にできると共に、弾性部材によりベース体６とアーム体７とを扉体２の厚み方向に近接させて扉体２の端部の両側から押圧できるので、弾性部材の弾性力が取付部３の扉体２に対する押圧力に有効に伝達できる。
【００３５】
また、取付部３には、弾性部材の弾性力に抗して力を付与するレバー１１を備えているので、ベース体６とアーム体７とをレバー１１により扉体２の厚み方向に離間させることができる。
【００３６】
また、弾性部材は、ベース体６とアーム体７との間に配した側面略く字状の板ばね１０で構成され、レバー１１は板ばね１０のくの字の膨出した略中間部分を押圧するようにベース体６あるいはアーム体７の何れか一方に取付られているので、レバー１１が板ばね１０のくの字の膨出した略中間部分を押圧することにより、バランス良く弾性力に抗する力を付与させることができる。
【００３７】
また、ベース体６またはアーム体７の少なくとも一方の扉体２の端部を押圧するパッキン８，９は、互いに離れた少なくとも３箇所以上の面一となる押圧面で構成されているので、扉体２の端部側の被押圧面に対してベース体６またはアーム体７の少なくとも一方が分散した均等な押圧力で押圧することができる。
【００３８】
また、保持部４は、上端側が復元力により取付部３上方部側に向かって押圧するように取付部３下方部側で枢着され、かつ取付部３一側面を覆うカバー体１２で構成されているので、取付部３上方部側に向かって押圧できるようにカバー体１２が枢着されているので、タオル５の保持又は取り外しがカバー体１２の上部で行え開閉操作が容易であるばかりでなく、取付部３を利用してタオル５を挟持することができるので、タオルクリップ１の構成を簡素にできる。更に、カバー体１２で取付部３を隠蔽できるので見栄えがよい。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、使用者がレバー１１の上端部を正面側に揺動させることによってアーム体７を背面側に摺動させ、両パッキン８，９間の前後幅寸法を扉体２の前後幅寸法Ｒよりも短いＬ１から扉体２の前後幅寸法よりも長いＬ２に形成した後に、扉体２の上端部へのタオルクリップ１の取り付けを行ったが、アーム体７の背面側への摺動は、使用者が直接ベース体６とアーム体７とを把持し、アーム体７とベース体６とを互いに前後方向に相対移動させることで両パッキン８，９間の前後幅寸法をＬ１からＬ２に形成してもよく、ベース体６またはアーム体７の少なくとも一方に使用者がアーム体７を摺動させるために把持する把手を設けてもよい。
【００４１】
また、前記実施例では、タオルクリップ１に保持する物品をタオル５として説明したが、タオルクリップ１に保持させる物品はエプロンやレジ袋等、タオル５に限らない。
【符号の説明】
【００４２】
１                タオルクリップ（物品保持具）
２                扉体（被取付体）
３                取付部
４                保持部
５                タオル（物品）
６                ベース体
７                アーム体
８，９            パッキン（押圧部）
１０              板ばね（弾性部材）
１１              レバー（操作体）
１２              カバー体
１３              コイルばね
【図１】
0005436064.tif 000002
【図２】
0005436064.tif 000003
【図３】
0005436064.tif 000004
【図４】
0005436064.tif 000005
【図５】
0005436064.tif 000006